(57)【特許請求の範囲】
【請求項１】
送信レベルを設定する送信レベル設定手段と、
線形補間テーブルを用いて送信ゲインを制御する制御手段と、
送信波の一部を取り出して送信レベルをモニタし、送信波レベル設定値との差分をフィードバックして送信ゲイン制御値を補正することにより所望の送信レベルを維持するＡＰＣ回路とを備えた携帯電話端末において、
所定の送信レベル以上で前記ＡＰＣ回路が動作している時に、少なくとも２つの送信レベルに対応するＡＰＣ補正後ゲイン値を記憶し、そのＡＰＣ補正後ゲイン値をもとに送信レベルに対する送信ゲインの関係を示す１次の近似式を求め、前記線形補間テーブル内のＡＰＣ動作が有効な送信レベル区間のデータから得られる１次の線形補間式と比較することにより、傾きと切片との変化量を計算してゲイン補正式を求める計算手段を有し、
さらに前記線形補間テーブル内のＡＰＣ動作が無効な送信レベル区間のデータに対して前記ゲイン補正式を適用した補正後のデータに書き換える書換手段を有することを特徴とする携帯電話端末。
【請求項２】
前記送信レベルに対する送信ゲインの関係を示す１次の近似式は、
送信レベル設定値をＡ［ｄＢｍ］とし、ＤＡＣコードをＣｏｄｅ（Ａ）とし、レベル補正後のＤＡＣコードをＣｏｄｅ（Ａ＋ΔA）とし、送信レベル設定値をＢ［ｄＢｍ］とし、ＤＡＣコードをＣｏｄｅ（Ｂ）とし、レベル補正後のＤＡＣコードをＣｏｄｅ（Ｂ＋ΔB）としたときの数式（１）、（２）を満足する数式（３）で表され、
【数１】
0004100142.tif 000003
【数２】
0004100142.tif 000004
【数３】
0004100142.tif 000005
前記ＡＰＣ動作が有効な送信レベル区間のデータから得られる１次の線形補間式は、数式（４）、（５）を満足する数式（６）で表され、
【数４】
0004100142.tif 000006
【数５】
0004100142.tif 000007
【数６】
0004100142.tif 000008
前記ゲイン補正式を適用した補正後のデータは数式（７）
【数７】
0004100142.tif 000009
で表されることを特徴とする請求項１記載の携帯電話端末。
【請求項３】
前記送信レベルに対する送信ゲインの関係を示す１次の近似式は、
送信レベル設定値をＡ［ｄＢｍ］とし、ＤＡＣコードをＣｏｄｅ（Ａ）とし、レベル補正後のＤＡＣコードをＣｏｄｅ（Ａ＋ΔA）とし、送信レベル設定値をＢ［ｄＢｍ］とし、ＤＡＣコードをＣｏｄｅ（Ｂ）とし、レベル補正後のＤＡＣコードをＣｏｄｅ（Ｂ＋ΔB）としたときの数式（１）、（２）を満足する数式（８）で表され、
【数８】
0004100142.tif 000010
前記ＡＰＣ動作が有効な送信レベル区間のデータから得られる１次の線形補間式は、数式（４）、（５）を満足する数式（９）で表され、
【数９】
0004100142.tif 000011
前記ゲイン補正式を適用した補正後のデータは数式（７）で表されることを特徴とする請求項１記載の携帯電話端末。
【請求項４】
送信レベルを設定し、
線形補間テーブルを用いて送信ゲインを制御し、
送信波の一部を取り出して送信レベルをモニタし、送信波レベル設定値との差分をフィードバックして送信ゲイン制御値を補正することにより所望の送信レベルを維持する携帯電話端末の制御方法において、
所定の送信レベル以上でＡＰＣ回路が動作している時に、少なくとも２つの送信レベルに対応するＡＰＣ補正後ゲイン値を記憶し、そのＡＰＣ補正後ゲイン値をもとに送信レベルに対する送信ゲインの関係を示す１次の近似式を求め、前記線形補間テーブル内のＡＰＣ動作が有効な送信レベル区間のデータから得られる１次の線形補間式と比較することにより、傾きと切片との変化量を計算してゲイン補正式を求め、
さらに前記線形補間テーブル内のＡＰＣ動作が無効な送信レベル区間のデータに対して前記ゲイン補正式を適用した補正後のデータに書き換えることを特徴とする携帯電話端末の制御方法。
【請求項５】
前記送信レベルに対する送信ゲインの関係を示す１次の近似式は、
送信レベル設定値をＡ［ｄＢｍ］とし、ＤＡＣコードをＣｏｄｅ（Ａ）とし、レベル補正後のＤＡＣコードをＣｏｄｅ（Ａ＋ΔA）とし、送信レベル設定値をＢ［ｄＢｍ］とし、ＤＡＣコードをＣｏｄｅ（Ｂ）とし、レベル補正後のＤＡＣコードをＣｏｄｅ（Ｂ＋ΔB）としたときの数式（１）、（２）を満足する数式（３）で表され、
前記ＡＰＣ動作が有効な送信レベル区間のデータから得られる１次の線形補間式は、数式（４）、（５）を満足する数式（６）で表され、
前記ゲイン補正式を適用した補正後のデータは数式（７）
で表されることを特徴とする請求項４記載の携帯電話端末の制御方法。
【請求項６】
前記送信レベルに対する送信ゲインの関係を示す１次の近似式は、
送信レベル設定値をＡ［ｄＢｍ］とし、ＤＡＣコードをＣｏｄｅ（Ａ）とし、レベル補正後のＤＡＣコードをＣｏｄｅ（Ａ＋ΔA）とし、送信レベル設定値をＢ［ｄＢｍ］とし、ＤＡＣコードをＣｏｄｅ（Ｂ）とし、レベル補正後のＤＡＣコードをＣｏｄｅ（Ｂ＋ΔB）としたときの数式（１）、（２）を満足する数式（８）で表され、
前記ＡＰＣ動作が有効な送信レベル区間のデータから得られる１次の線形補間式は、数式（４）、（５）を満足する数式（９）で表され、
前記ゲイン補正式を適用した補正後のデータは数式（７）で表されることを特徴とする請求項４記載の携帯電話端末の制御方法。
【請求項７】
コンピュータに、送信レベル設定手段が送信レベルを設定する処理、線形補間テーブルを用いた送信ゲインを制御する処理、ＡＰＣ回路が送信波の一部を取り出して送信レベルをモニタし、送信波レベル設定値との差分をフィードバックして送信ゲイン制御値を補正することにより所望の送信レベルを維持する処理を実行させるプログラムにおいて、
前記コンピュータに、計算手段が所定の送信レベル以上で前記ＡＰＣ回路が動作している時に、少なくとも２つの送信レベルに対応するＡＰＣ補正後ゲイン値を記憶し、そのＡＰＣ補正後ゲイン値をもとに送信レベルに対する送信ゲインの関係を示す１次の近似式を求め、前記線形補間テーブル内のＡＰＣ動作が有効な送信レベル区間のデータから得られる１次の線形補間式と比較することにより、傾きと切片との変化量を計算してゲイン補正式を求める処理、
書換手段が前記線形補間テーブル内のＡＰＣ動作が無効な送信レベル区間のデータに対して前記ゲイン補正式を適用した補正後のデータに書き換える処理を実行させることを特徴とするプログラム。
【請求項８】
前記送信レベルに対する送信ゲインの関係を示す１次の近似式は、
送信レベル設定値をＡ［ｄＢｍ］とし、ＤＡＣコードをＣｏｄｅ（Ａ）とし、レベル補正後のＤＡＣコードをＣｏｄｅ（Ａ＋ΔA）とし、送信レベル設定値をＢ［ｄＢｍ］とし、ＤＡＣコードをＣｏｄｅ（Ｂ）とし、レベル補正後のＤＡＣコードをＣｏｄｅ（Ｂ＋ΔB）としたときの数式（１）、（２）を満足する数式（３）で表され、
前記ＡＰＣ動作が有効な送信レベル区間のデータから得られる１次の線形補間式は、数式（４）、（５）を満足する数式（６）で表され、
前記ゲイン補正式を適用した補正後のデータは数式（７）
で表されることを特徴とする請求項７記載のプログラム。
【請求項９】
前記送信レベルに対する送信ゲインの関係を示す１次の近似式は、
送信レベル設定値をＡ［ｄＢｍ］とし、ＤＡＣコードをＣｏｄｅ（Ａ）とし、レベル補正後のＤＡＣコードをＣｏｄｅ（Ａ＋ΔA）とし、送信レベル設定値をＢ［ｄＢｍ］とし、ＤＡＣコードをＣｏｄｅ（Ｂ）とし、レベル補正後のＤＡＣコードをＣｏｄｅ（Ｂ＋ΔB）としたときの数式（１）、（２）を満足する数式（８）で表され、
前記ＡＰＣ動作が有効な送信レベル区間のデータから得られる１次の線形補間式は、数式（４）、（５）を満足する数式（９）で表され、
前記ゲイン補正式を適用した補正後のデータは数式（７）で表されることを特徴とする請求項７記載のプログラム。
【請求項１０】
請求項７から９のいずれか１項記載のプログラムを記録したことを特徴とする記録媒体。
【発明の詳細な説明】
【０００１】
【発明の属する技術分野】
本発明は、所望のアンテナ出力電力を得る為の補正回路を有する携帯電話端末、携帯電話端末の制御方法、プログラム、及び記録媒体に関する。
【０００２】
【従来の技術】
従来から送信回路の温度特性等によるゲイン変動を補償する方法としてはＡＰＣ回路が用いられているが、ここで送信波レベルを検出する検波回路にはダイオードが良く用いられている。その代表的な入出力特性を図５に示す。検出精度の点から、送信電力がある程度のレベルにないと誤差が大きくなることから、主に大出力時のレベル補正に用いていた。
【０００３】
図３に本実施例の携帯電話端末に用いられる送信回路を送信レベル全体にわたってＡＰＣ機能をオフにした場合に、線形補間テーブルのみに基づく入出力特性を示す。実線は温度変動等がない時の送信回路の出力特性、破線は温度変動等がある時の出力特性である。
【０００４】
ＤＡＣ（Digital Analog Converter）コードとはＤ／Ａ変換器に入力されるデジタル信号のことである。
【０００５】
電力等の所定の値からのずれに対する補正を行う例として、特許文献１と特許文献２を挙げる。
【０００６】
特許文献１では、パワーアンプに供給される電力を低下させた場合においても、アンテナ端における送信電力を所望の値に制御する方法を提示する。
【０００７】
特許文献２では、歪補償係数を所望の値に収束させる場合において、適応アルゴリズムにより歪補償係数を算出して歪補償テーブルに保持された値を更新することにより、収束を早め、歪補償テーブルを記憶するのに必要なメモリを削減する方法を提示する。
【０００８】
【特許文献１】
特開２００１−３３２９８５号公報
【特許文献２】
特開２００２−２２３１７１号公報
【０００９】
【発明が解決しようとする課題】
携帯電話に用いられる発信回路では、図３に示すように、閾値以上の送信出力ではＡＰＣ機能が有効に働くため、レベル設定値に補正が加わり、正しい送信出力が可能となるが、閾値以下の送信出力ではＡＰＣ機能が働かないため、あらかじめいくつかの補正値を用意しておくことが必要になる。特に図のような出力特性が傾きの変動も含まれる場合には、その補正値の組み合わせが更に増え、調整のためのコストが増大する。
上記課題に鑑み、本発明は、ＡＰＣ機能が有効にならないような低出力時においても温度補償等を行う携帯電話端末、携帯電話端末の制御方法、プログラム、及び記録媒体を提供することを目的とする。
【００１０】
【課題を解決するための手段】
上記課題を解決する為に、請求項１記載の発明である携帯電話端末は、送信レベルを設定する送信レベル設定手段と、線形補間テーブルを用いて送信ゲインを制御する制御手段と、送信波の一部を取り出して送信レベルをモニタし、送信波レベル設定値との差分をフィードバックして送信ゲイン制御値を補正することにより所望の送信レベルを維持するＡＰＣ回路とを備えた携帯電話端末において、所定の送信レベル以上でＡＰＣ回路が動作している時に、少なくとも２つの送信レベルに対応するＡＰＣ補正後ゲイン値を記憶し、そのＡＰＣ補正後ゲイン値をもとに送信レベルに対する送信ゲインの関係を示す１次の近似式を求め、線形補間テーブル内のＡＰＣ動作が有効な送信レベル区間のデータから得られる１次の線形補間式と比較することにより、傾きと切片との変化量を計算してゲイン補正式を求める計算手段を有し、さらに線形補間テーブル内のＡＰＣ動作が無効な送信レベル区間のデータに対してゲイン補正式を適用した補正後のデータに書き換える書換手段を有することを特徴とする。
【００１１】
請求項２記載の発明は、請求項１記載の携帯電話端末であって、送信レベルに対する送信ゲインの関係を示す１次の近似式は、送信レベル設定値をＡ［ｄＢｍ］とし、ＤＡＣコードをＣｏｄｅ（Ａ）とし、レベル補正後のＤＡＣコードをＣｏｄｅ（Ａ＋ΔA）とし、送信レベル設定値をＢ［ｄＢｍ］とし、ＤＡＣコードをＣｏｄｅ（Ｂ）とし、レベル補正後のＤＡＣコードをＣｏｄｅ（Ｂ＋ΔB）としたときの数式（１）、（２）を満足する数式（３）で表され、記ＡＰＣ動作が有効な送信レベル区間のデータから得られる１次の線形補間式は、数式（４）、（５）を満足する数式（６）で表され、ゲイン補正式を適用した補正後のデータは数式（７）で表されることを特徴とする。
【００１２】
請求項３記載の発明は、請求項１記載の携帯電話端末であって、送信レベルに対する送信ゲインの関係を示す１次の近似式は、送信レベル設定値をＡ［ｄＢｍ］とし、ＤＡＣコードをＣｏｄｅ（Ａ）とし、レベル補正後のＤＡＣコードをＣｏｄｅ（Ａ＋ΔA）とし、送信レベル設定値をＢ［ｄＢｍ］とし、ＤＡＣコードをＣｏｄｅ（Ｂ）とし、レベル補正後のＤＡＣコードをＣｏｄｅ（Ｂ＋ΔB）としたときの数式（１）、（２）を満足する数式（８）で表され、ＡＰＣ動作が有効な送信レベル区間のデータから得られる１次の線形補間式は、数式（４）、（５）を満足する数式（９）で表され、ゲイン補正式を適用した補正後のデータは数式（７）で表されることを特徴とする。
【００１３】
請求項４記載の発明は、携帯電話端末の制御方法の発明であって、送信レベルを設定し、線形補間テーブルを用いて送信ゲインを制御し、送信波の一部を取り出して送信レベルをモニタし、送信波レベル設定値との差分をフィードバックして送信ゲイン制御値を補正することにより所望の送信レベルを維持する携帯電話端末の制御方法において、所定の送信レベル以上でＡＰＣ回路が動作している時に、少なくとも２つの送信レベルに対応するＡＰＣ補正後ゲイン値を記憶し、そのＡＰＣ補正後ゲイン値をもとに送信レベルに対する送信ゲインの関係を示す１次の近似式を求め、線形補間テーブル内のＡＰＣ動作が有効な送信レベル区間のデータから得られる１次の線形補間式と比較することにより、傾きと切片との変化量を計算してゲイン補正式を求め、さらに線形補間テーブル内のＡＰＣ動作が無効な送信レベル区間のデータに対してゲイン補正式を適用した補正後のデータに書き換えることを特徴とする。
【００１４】
請求項５記載の発明は、請求項４記載の携帯電話端末の制御方法であって、送信レベルに対する送信ゲインの関係を示す１次の近似式は、送信レベル設定値をＡ［ｄＢｍ］とし、ＤＡＣコードをＣｏｄｅ（Ａ）とし、レベル補正後のＤＡＣコードをＣｏｄｅ（Ａ＋ΔA）とし、送信レベル設定値をＢ［ｄＢｍ］とし、ＤＡＣコードをＣｏｄｅ（Ｂ）とし、レベル補正後のＤＡＣコードをＣｏｄｅ（Ｂ＋ΔB）としたときの数式（１）、（２）を満足する数式（３）で表され、ＡＰＣ動作が有効な送信レベル区間のデータから得られる１次の線形補間式は、数式（４）、（５）を満足する数式（６）で表され、ゲイン補正式を適用した補正後のデータは数式（７）で表されることを特徴とする。
【００１５】
請求項６記載の発明は、請求項４記載の携帯電話端末の制御方法であって、送信レベルに対する送信ゲインの関係を示す１次の近似式は、送信レベル設定値をＡ［ｄＢｍ］とし、ＤＡＣコードをＣｏｄｅ（Ａ）とし、レベル補正後のＤＡＣコードをＣｏｄｅ（Ａ＋ΔA）とし、送信レベル設定値をＢ［ｄＢｍ］とし、ＤＡＣコードをＣｏｄｅ（Ｂ）とし、レベル補正後のＤＡＣコードをＣｏｄｅ（Ｂ＋ΔB）としたときの数式（１）、（２）を満足する数式（８）で表され、ＡＰＣ動作が有効な送信レベル区間のデータから得られる１次の線形補間式は、数式（４）、（５）を満足する数式（９）で表され、ゲイン補正式を適用した補正後のデータは数式（７）で表されることを特徴とする。
【００１６】
請求項７記載の発明であるプログラムは、コンピュータに、送信レベル設定手段が送信レベルを設定する処理、線形補間テーブルを用いた送信ゲインを制御する処理、ＡＰＣ回路が送信波の一部を取り出して送信レベルをモニタし、送信波レベル設定値との差分をフィードバックして送信ゲイン制御値を補正することにより所望の送信レベルを維持する処理を実行させるプログラムにおいて、コンピュータに、計算手段が所定の送信レベル以上で前記ＡＰＣ回路が動作している時に、少なくとも２つの送信レベルに対応するＡＰＣ補正後ゲイン値を記憶し、そのＡＰＣ補正後ゲイン値をもとに送信レベルに対する送信ゲインの関係を示す１次の近似式を求め、線形補間テーブル内のＡＰＣ動作が有効な送信レベル区間のデータから得られる１次の線形補間式と比較することにより、傾きと切片との変化量を計算してゲイン補正式を求める処理、書換手段が線形補間テーブル内のＡＰＣ動作が無効な送信レベル区間のデータに対してゲイン補正式を適用した補正後のデータに書き換える処理を実行させることを特徴とする。
【００１７】
請求項８記載の発明は、請求項７記載のプログラムであって、送信レベルに対する送信ゲインの関係を示す１次の近似式は、送信レベル設定値をＡ［ｄＢｍ］とし、ＤＡＣコードをＣｏｄｅ（Ａ）とし、レベル補正後のＤＡＣコードをＣｏｄｅ（Ａ＋ΔA）とし、送信レベル設定値をＢ［ｄＢｍ］とし、ＤＡＣコードをＣｏｄｅ（Ｂ）とし、レベル補正後のＤＡＣコードをＣｏｄｅ（Ｂ＋ΔB）としたときの数式（１）、（２）を満足する数式（３）で表され、ＡＰＣ動作が有効な送信レベル区間のデータから得られる１次の線形補間式は、数式（４）、（５）を満足する数式（６）で表され、ゲイン補正式を適用した補正後のデータは数式（７）で表されることを特徴とする。
【００１８】
請求項９記載の発明は、請求項７記載のプログラムであって、送信レベルに対する送信ゲインの関係を示す１次の近似式は、送信レベル設定値をＡ［ｄＢｍ］とし、ＤＡＣコードをＣｏｄｅ（Ａ）とし、レベル補正後のＤＡＣコードをＣｏｄｅ（Ａ＋ΔA）とし、送信レベル設定値をＢ［ｄＢｍ］とし、ＤＡＣコードをＣｏｄｅ（Ｂ）とし、レベル補正後のＤＡＣコードをＣｏｄｅ（Ｂ＋ΔB）としたときの数式（１）、（２）を満足する数式（８）で表され、ＡＰＣ動作が有効な送信レベル区間のデータから得られる１次の線形補間式は、数式（４）、（５）を満足する数式（９）で表され、ゲイン補正式を適用した補正後のデータは数式（７）で表されることを特徴とする。
【００１９】
請求項１０記載の発明は、請求項７から９のいずれか１項記載のプログラムを記録した記録媒体であることを特徴とする。
【００２８】
【発明の実施の形態】
＜実施例の構成＞
図１を参照して本実施例の構成を説明する。本実施例が示す送信回路は、大きくアナログ回路部とデジタル回路部とに分けられる。
【００２９】
＜アナログ回路部の構成＞
アナログ回路部はパワーアンプ１０１、バンドパスフィルタ１０２、ＡＧＣアンプ１０３、検波手段１０４及びアンテナ１１５を有する。
パワーアンプ１０１は変調信号をアンテナ出力レベルまで増幅する。
バンドパスフィルタ１０２はＡＧＣアンプ１０３で発生したスプリアスを減衰する。
ＡＧＣアンプ１０３は変調信号を任意のゲインで増幅する。
検波手段１０４は、更にダイオードとローパスフィルタ（共に図示せず）を有し、パワーアンプ１０１の出力電力をアナログ電圧として出力する。
【００３０】
＜デジタル回路部の構成＞
デジタル回路部はＤ／Ａ変換器１０５、線形補間部１０６、加算器１０７、送信出力設定部１０８、補間テーブル１０９、テーブル補正部１１０、補正値計算部１１１、Ａ／Ｄ変換器１１２、平均化処理部１１３及び電力計算部１１４を有する。
【００３１】
Ｄ／Ａコンバータ１０５はＤＡＣコードをアナログ電圧値に変換する。Ｄ／Ａコンバータから出力されたアナログ電圧値によってＡＧＣアンプ１０３のゲインが決定する。
線形補間部１０６は送信レベル設定値に近い２つのＤＡＣコードを補間テーブル１０９から参照して、線形補間によって送信レベル設定値に対応するＤＡＣコードを生成する。
加算器１０７は送信出力設定部１０８で指定された送信レベル設定値と、補正値計算部１１１で計算されたレベル補正値を加える。
送信出力設定部１０８は送信レベルを設定する。
補間テーブル１０９はいくつかの送信レベル設定値に対応したＤＡＣコードを格納している。これらのＤＡＣコードは、常温・定格電池電圧・あるキャリア周波数にてアンテナ出力電力が送信レベル設定値と一致するように調整されている。
テーブル補正部１１０は少なくとも２種類の送信レベル設定地について、補間テーブル１０９に格納されているＤＡＣコードと、線形補間部１０６出力のＤＡＣコードを比較する。更にその差分から傾きと切片を計算し、補正式を求め、補間テーブル１０９のデータを書き換える。
補正値計算部１１１は送信レベル設定値と電力計算部１１４で求められた電力値との差分を計算し、必要なレベル補正値を加算器１０７に出力する。また、レベル補正値が規定値以内のときは補正が収束したと判定する。但し、送信レベル設定値が閾値ＰSL以下のときは検波電圧誤差のためレベル補正値の計算は行わない。
Ａ／Ｄ変換器１１２は検波手段１０４の出力電圧をデジタル値に変換する。
平均化処理部１１３は瞬時的なデジタルからある一定時間当たりの平均電圧値を計算する。
電力計算部１１４は平均電圧値から現在の送信電力を求める。
【００３２】
＜実施例の動作＞
以下図２を参照して動作の説明をする。まず送信出力設定部１０８から送信レベル設定値をＡ［ｄＢｍ］とする。ここでＰSL＜Ａとし、あらかじめＤＡＣコードが補間テーブル１０９に格納されているものの中から選ぶとする。そのＤＡＣコードをＣｏｄｅ（Ａ）とする。このとき常温・定格電池電圧・基準キャリア周波数ではアンテナ１１５の出力電力はＡ［ｄＢｍ］となるが、温度変化などにより出力電力に誤差が発生すると補正値計算部１１１はレベル補正値ΔA を出力する。
したがって加算器１０７の出力は（Ａ＋ΔA）となり、線形補間部１０６はＣｏｄｅ（Ａ＋ΔA）を出力する。
【００３３】
ここでアンテナ１１５の出力電力がＡ［ｄＢｍ］になったとすると、補正値計算部１１１は収束判定フラグを立て、テーブル補正部１１０はＣｏｄｅ（Ａ＋ΔA ）を記憶する。同様に送信レベル設定値Ｂ［ｄＢｍ］に対する補間テーブル１０９内のＤＡＣコードをＣｏｄｅ（Ｂ）、レベル補正後のＤＡＣコードをＣｏｄｅ（Ｂ＋ΔB ）とする。尚、ＡとＢの選び方としては、アナログ回路部の入出力特性がほぼ一次式で近似できるような線形動作範囲内で選ぶ必要がある。
【００３４】
これよりテーブル補正部１１０は数式（１）から数式（６）までのようにテーブル補正式を求める。
【００４１】
数式（３）と数式（６）とから、補間テーブル１０９のＣｏｄｅ（Ｘ）に対する補正をαＸ＋βとし、テーブル補正部１１０は補間テーブル１０９を数式（７）に置き換える。ここで、Ｘ＜ＰSLとする。
【００４２】
【数７】
0004100142.tif 000002
【００４３】
上記の実施例ではαを２つの傾きの差としたが、これに限定するものではなく、２つの傾きの和、例えば数式（８）で示す平均であってもよい。βも同様に数式（９）で示す平均であってもよい。
【００４４】
図４のフローチャートを用いて補正の動作の説明を行う。
出力電力に誤差が発生すると、アンテナの出力電力Ａ［ｄＢｍ］を実現する為に、補正値計算部１１１はレベル補正値ΔA を出力する（ステップ４０１）。加算器１０７で送信出力設定部１０８からの出力Ａとレベル補正値ΔA が加算されて線形補間部１０６に入力され、線形補間部１０６ではＣｏｄｅ（Ａ＋ΔA ）を出力する（ステップ４０２）。アンテナの出力電力が所望の値にならなければ（ステップ４０３／ＮＯ）、収束するまでステップ４０１〜ステップ４０３を繰り返す。
アンテナ出力が求める値になると（ステップ４０３／ＹＥＳ）、補正値計算部１１１で収束判定フラッグを立てる（ステップ４０４）。テーブル補正部１１０ではＣｏｄｅ（Ａ＋ΔA ）を記憶する(ステップ４０５)。
これを別のアンテナ出力電圧Ｂ［ｄＢｍ］に関しても行い、補正テーブルの書き換えを行う。
【００４５】
【発明の効果】
以上説明したように、本発明によれば、検波回路にて電力検出不可能なため、ＡＰＣ機能が有効に使えないような低レベル出力の信号であっても、ＡＰＣ機能が有効なときの補正データを用いて近似計算することによりそのときの温度や電池電圧、周波数特性に最適な補正をすることができる。
また、補正式として線形の式を用いたことで、デバイスの線形な特性を利用しながら補正の計算量を抑えることができる。
【図面の簡単な説明】
【図１】  本発明の実施例における送信回路の構成を示すブロック図である。
【図２】  出力電力とＤＡＣコードの関係を示し、アナログ回路の特性に応じて変動する様子を示すグラフである。
【図３】  レベル設定値と出力電力との関係を示すグラフである。
【図４】  補正値計算の様子を示すフローチャートである。
【図５】 ダイオードの代表的な入出力特性を示す図である。
【符号の説明】
１０１  パワーアンプ
１０２  バンドパスフィルタ
１０３  ＡＧＣアンプ
１０４  検波回路
１０５  Ｄ／Ａ変換器
１０６  線形補間部
１０８  送信出力設定部
１０９  補間テーブル
１１０  テーブル補正部
１１１  補正値計算部
１１２  Ａ／Ｄ変換器
１１３  平均化処理部
１１４  電力計算部
【図１】
0004100142.tif 000012
【図２】
0004100142.tif 000013
【図３】
0004100142.tif 000014
【図４】
0004100142.tif 000015
【図５】
0004100142.tif 000016